(57)【要約】【課題】表示装置全体の前後方向の厚みを小さくすることが可能であるとともに、表示装置の下部が高温になることを抑制することが可能な表示装置を提供する。【解決手段】このテレビジョン装置（表示装置）１００は、光源部２と、光学シート５と、リアフレーム６と、を備え、光源部２がテレビジョン装置（表示装置）１００の上部に配置され、反射シート４と光学シート５との間に中空の導光領域７が設けられており、反射シート４は、光学シート５との間の距離が、上部よりも下部のほうが小さい。【選択図】図２
2020030327.tif 000002
【特許請求の範囲】
【請求項１】
画像を表示する表示面を有する表示部と、
複数のＬＥＤを含む光源部と、
前記光源部を覆うように取り付けられ、前記光源部の光を屈折および反射させるレンズと、
前記表示部の前記表示面と反対側の背面側に設けられ、前記レンズによって屈折および反射した光を反射する反射シートと、
前記表示部と前記反射シートとの間に配置されるとともに、前記表示部と平行である光学シートと、
前記反射シートを背面側から覆うリアフレームと、を備える表示装置であって、
前記光源部は前記表示装置の上部に配置され、
前記反射シートと前記光学シートとの間に中空の導光領域が設けられており、
前記反射シートは、前記光学シートとの間の距離が、上部よりも下部のほうが小さく構成されている、表示装置。
【請求項２】
前記リアフレームの下部における前記光学シートとの距離は、前記リアフレームの上部における前記光学シートとの間の距離よりも小さい、請求項１に記載の表示装置。
【請求項３】
前記リアフレームの下部の背面側には、構成部品が取り付けられている、請求項１または２に記載の表示装置。
【請求項４】
前記構成部品は、スピーカおよび電子部品が搭載された基板を含む、請求項３に記載の表示装置。
【請求項５】
前記リアフレームの長手方向において、前記リアフレームの下部は、両端における前記光学シートとの距離が中央における前記光学シートとの距離よりも大きくなるように構成されている、請求項１〜４のいずれか１項に記載の表示装置。
【請求項６】
前記反射シートと前記光学シートとの距離は、前記反射シートの長手方向の両端のほうが中央部よりも小さい、請求項１〜５のいずれか１項に記載の表示装置。
【請求項７】
前記光源部は、前記表示部のベゼルに囲まれた画像表示領域の背面側に配置されている、請求項１〜６のいずれか１項に記載の表示装置。
【請求項８】
複数の前記ＬＥＤは、前記表示部の長手方向に延びるように配置されており、
複数の前記ＬＥＤの延びる方向に沿って前記表示部の長手方向に延びるように取り付けられ、前記レンズから出射された光を反射する反射部材をさらに備える、請求項１〜７のいずれか１項に記載の表示装置。
【請求項９】
前記反射部材は、前記光学シートに対して傾斜して配置されており、前記導光領域において前記光学シートにより反射された光を前記光学シートに向かって反射するように構成されている、請求項８に記載の表示装置。
【請求項１０】
前記リアフレームは中央部から端部に向かって前記光学シートに近づくように傾斜しており、
前記リアフレームの前記光学シートに対する傾斜角は鋭角である、請求項１〜９のいずれか１項に記載の表示装置。
【請求項１１】
前記リアフレームの前記光学シートに対する傾斜角は３５度以下である、請求項１０に記載の表示装置。
【請求項１２】
前記光源部を上面側および背面側から覆うカバーを有し、
前記カバーの上面側には第１通気口が設けられている、請求項１〜１１のいずれか１項に記載の表示装置。
【請求項１３】
前記カバーの背面側には開口部が設けられている、請求項１２に記載の表示装置。
【請求項１４】
前記リアフレームの上面側には第２通気口が設けられており、
前記第１通気口と前記第２通気口とが平面視において重なる位置に設けられている、請求項１２または１３に記載の表示装置。
【請求項１５】
前記リアフレームの上面側には第２通気口が設けられており、
前記第１通気口と前記第２通気口とが平面視において重ならない位置に設けられている、請求項１２または１３に記載の表示装置。
【請求項１６】
前記光源部は、光源ベースを介して前記リアフレームに取り付けられ、
前記光源ベースは、前記リアフレームの放熱性より大きい放熱性を有する、請求項１〜１５のいずれか１項に記載の表示装置。
【発明の詳細な説明】
【技術分野】
【０００１】
この発明は、表示装置に関し、特に、表示部と光源部とを備える表示装置に関する。
【背景技術】
【０００２】
従来、表示部と光源部とを備える表示装置が知られている（たとえば、特許文献１参照）。
【０００３】
上記特許文献１には、表示パネル（表示部）と、表示パネルを照射するバックライト（光源部）と、バックライト（光源部）の発光制御を行うメイン基板（構成部品）とを備えた表示装置が開示されている。上記表示装置では、メイン基板は光源とともに表示装置の下部に設けられている。
【先行技術文献】
【特許文献】
【０００４】
【特許文献１】特開２０１４−１１５４３６号公報
【発明の概要】
【発明が解決しようとする課題】
【０００５】
しかしながら、上記特許文献１に記載されているように従来の表示装置では、配線の関係でスピーカや電子部品が取り付けられたメイン基板など厚みのある構成部品を下部の背面側に設けている。そのため、光源部を表示装置の下部に設けることにより、表示装置の表示部側から光源部までの距離と光源部から構成部品までの距離とを合計した長さ分だけ、表示装置全体の前後方向の厚みが大きくなるという問題点がある。また、光源部および基板に取り付けられた電子部品は熱を発するため、光源部と構成部品とを下部に設けることにより表示装置の下部が高温になるという問題点がある。
【０００６】
この発明は、上記のような課題を解決するためになされたものであり、この発明の１つの目的は、表示装置全体の前後方向の厚みを小さくすることが可能であるとともに、表示装置の下部が高温になることを抑制することが可能な表示装置を提供することである。
【課題を解決するための手段】
【０００７】
この発明の一の局面による表示装置は、画像を表示する表示面を有する表示部と、複数のＬＥＤを含む光源部と、光源部を覆うように取り付けられ、光源部の光を屈折および反射させるレンズと、表示部の表示面と反対側の背面側に設けられ、レンズによって屈折および反射した光を反射する反射シートと、表示部と反射シートとの間に配置されるとともに、表示部と平行である光学シートと、反射シートを背面側から覆うリアフレームと、を備える表示装置であって、光源部は表示装置の上部に配置され、反射シートと光学シートとの間に中空の導光領域が設けられており、反射シートは、光学シートとの間の距離が、上部よりも下部のほうが小さく構成されている。
【０００８】
この発明の一の局面による表示装置では、上記のように、光源部と、光学シートと、リアフレームと、を備え、光源部が表示装置の上部に配置され、反射シートと光学シートとの間に中空の導光領域が設けられており、反射シートは、光学シートとの間の距離が、上部よりも下部のほうが小さい。このように構成することにより、中空の導光領域を設けることにより導光板を設ける必要がない。そのため、表示装置の下部の光学シートと反射シートとの距離を近づけることができるため、その分、下部にスペースを設けることができる。それにより、構成部品を下部のスペースに配置することができる。また、光源部を上部に設けることにより、下部に光源部の前後方向の厚みに相当するスペースを設ける必要がない。そのため、表示装置全体の厚みを小さくすることができるとともに、表示装置の下部が高温になることを抑制することができる。
【０００９】
この発明の一の局面による表示装置では、好ましくは、リアフレームの下部における光学シートとの距離は、リアフレームの上部における光学シートとの間の距離よりも小さい。このように構成すれば、リアフレームの下部の前後方向の長さを小さくすることができるため、リアフレームの下部の背面側に構成部品を取り付けた場合に表示装置の前後方向の厚みが大きくなることを抑制することができる。
【００１０】
上記一の局面による表示装置において、好ましくは、リアフレームの下部の背面側には、構成部品が取り付けられている。このように構成すれば、リアフレームの下部の背面側に設けられたスペースに構成部品を取り付けることができるため、表示装置全体の厚みを確実に小さくすることができる。
【００１１】
この場合、好ましくは、構成部品は、スピーカおよび電子部品が搭載された基板を含む。このように構成すれば、熱を発する電子部品が搭載された基板と光源部とがそれぞれ下部と上部とに別々に設けられるため、表示装置の下部が高温になるのを抑制することができる。また、構成部品から発せられる熱によって、光源部が影響を受けることを抑制することができる。
【００１２】
上記一の局面による表示装置において、好ましくは、リアフレームの長手方向において、リアフレームの下部は、両端における光学シートとの距離が中央における光学シートとの距離よりも大きくなるように構成されている。このように構成すれば、リアフレームのうち光学シートとの距離が小さい中央部分に構成部品を取り付けることにより、表示装置全体の前後方向の厚みを小さくすることができる。また、リアフレームのうち長手方向の両端の部分の光学シートとの距離を大きくすることにより、リアフレームの長手方向の両端部が突出した形状になるので、リアフレームの強度を十分に保つことができる。
【００１３】
上記一の局面による表示装置において、好ましくは、反射シートと光学シートとの距離は、反射シートの長手方向の両端のほうが中央部よりも小さい。このように構成すれば、反射シートの中央部は背面側に突出し、長手方向の両端にかけて光学シートに近づくような形状になる。それにより、反射シートに沿ってリアフレームを取り付けた場合に、表示部からリアフレームまでの距離が長手方向の両端部で小さくすることができるため、表示装置の長手方向の両端部の前後方向の厚みを小さくすることができる。
【００１４】
上記一の局面による表示装置において、好ましくは、光源部は、表示部のベゼルに囲まれた画像表示領域の背面側に配置されている。このように構成すれば、光源部の高さに合わせてベゼルの枠部分の幅を大きくする必要がないため、ベゼルの幅を小さくすることができる。
【００１５】
上記一の局面による表示装置において、好ましくは、複数のＬＥＤは、表示部の長手方向に延びるように配置されており、複数のＬＥＤの延びる方向に沿って表示部の長手方向に延びるように取り付けられ、レンズから出射された光を反射する反射部材をさらに備える。このように構成すれば、光源部を画像表示領域に設けた場合にも、レンズから出射された光が反射部材により反射されるので、レンズから漏れた光が光学シートに到達することに起因して、光源部の近くに位置する表示部の輝度が大きくなることを抑制することができる。
【００１６】
この場合、好ましくは、反射部材は、光学シートに対して傾斜して配置されており、導光領域において光学シートにより反射された光を光学シートに向かって反射するように構成されている。このように構成すれば、反射部材によって光が遮断されることにより光が届かない光学シートに光源部からの光を照射することができる。そのため、輝度が小さい箇所が発生することを抑制することができる。
【００１７】
上記一の局面による表示装置において、好ましくは、リアフレームは中央部から端部に向かって光学シートに近づくように傾斜しており、リアフレームの光学シートに対する傾斜角は鋭角である。このように構成すれば、表示装置を正面側から斜めに見た場合に、リアフレームの背面側に取り付けられた構成部品が見えることを抑制することができる。
【００１８】
この場合、好ましくは、リアフレームの光学シートに対する傾斜角は３５度以下である。このように構成すれば、表示装置を正面側から斜めに見た場合に、リアフレームの背面側に取り付けられた構成部品が見えることを確実に抑制することができる。
【００１９】
上記一の局面による表示装置において、光源部を上面側および背面側から覆うカバーを有し、カバーの上面側には第１通気口が設けられている。このように構成すれば、高温状態の光源部にユーザが直接触れることをカバーにより抑制することができるとともに、第１通気口によって、リアフレームを介して発せられる光源部の熱を逃がすことができる。
【００２０】
この場合、好ましくは、カバーの背面側には開口部が設けられている。このように構成すれば、光源部によって熱せられた空気は、外気よりも高温であるとともに外気よりも密度が低くなる。そのため、光源部によって熱せられた空気に浮力が生じ、煙突効果によって開口部から温度の低い外気を取り込みながら上昇し、第１通気口から排出される。それにより、光源部で発生した熱を逃すことができる。
【００２１】
上記カバーを有している構成において、リアフレームの上面側には第２通気口が設けられており、第１通気口と第２通気口とが平面視において重なる位置に設けられている。このように構成すれば、光源部で発生した熱を第２通気口および第１通気口を介して上方へ逃がすことができるため排熱効率を向上させることができる。
【００２２】
上記カバーを有している構成において、好ましくは、第１通気口と第２通気口とが平面視において重ならない位置に設けられている。このように構成すれば、光源部からの熱によって熱せられた空気が第２通気口から排出され、カバー背面側の開口部から流入した空気の流れによって、第２通気口から第１通気口に移動した後に、第１通気口から外部に排出される。その結果、効率よく光源部を冷却することができる。
【００２３】
上記一の局面による表示装置において、光源部は、光源ベースを介してリアフレームに取り付けられ、光源ベースは、リアフレームの放熱性より大きい放熱性を有する。このように構成すれば、光源部からの熱が光源ベースによって効率よく放熱されることにより、光源部からの熱量が大きくなった場合でも効率よく排熱することができる。
【発明の効果】
【００２４】
本発明によれば、上記のように、光源部と基板とを別の位置に設けることにより表示装置の前後方向の厚みを小さくすることができるとともに、表示装置の下部が高温になることを抑制することが可能な表示装置を提供することができる。
【図面の簡単な説明】
【００２５】
【図１】本発明の第１〜第５実施形態によるテレビジョン装置を前方から見た全体斜視図である。
【図２】本発明の第１実施形態によるテレビジョン装置を示す図１の６００−６００線に沿った断面図である。
【図３】本発明の第１実施形態によるテレビジョン装置の光源部とレンズとを示した斜視図である。
【図４】本発明の第１実施形態によるテレビジョン装置のレンズと光源部とをリアフレームに取り付けた様子を示す模式図である。
【図５】本発明の第１実施形態によるテレビジョン装置のレンズの構成を示した模式図である。
【図６】本発明の第１実施形態によるテレビジョン装置の７００−７００線に沿った断面図である。
【図７】本発明の第１実施形態によるテレビジョン装置の背面側からの斜視図である。
【図８】本発明の第２実施形態によるテレビジョン装置のレンズと光源部と反射部材とを示した斜視図である。
【図９】本発明の第２実施形態によるテレビジョン装置の６００−６００線に沿った部分断面図である。
【図１０】本発明の第３実施形態によるテレビジョン装置の７００−７００線に沿った断面図である。
【図１１】本発明の第４実施形態によるテレビジョン装置の背面図を示した側面図である。
【図１２】本発明の第４実施形態によるテレビジョン装置の６００−６００線に沿った断面図である。
【図１３】本発明の第５実施形態によるテレビジョン装置のレンズと光源部と光源ベースとを示す模式図である。
【図１４】本発明の第５実施形態によるテレビジョン装置の６００−６００線に沿った断面図である。
【発明を実施するための形態】
【００２６】
以下、本発明の実施形態を図面に基づいて説明する。
【００２７】
［第１実施形態］
図１〜図７を参照して、本発明の第１実施形態によるテレビジョン装置１００の構成について説明する。なお、テレビジョン装置１００は、特許請求の範囲の「表示装置」の一例である。
【００２８】
本発明の第１実施形態によるテレビジョン装置１００は、図１および図２に示すように表示部１、光源部２、レンズ３、反射シート４、光学シート５、リアフレーム６および中空の導光領域７を備えている。表示部１は画像が表示される画像表示領域１ａを有している。
【００２９】
テレビジョン装置１００は、光源部２から照射された光がレンズ３によって反射または屈折し、レンズ３から出射された光は略平行光となって中空の導光領域７に照射される。そして、中空の導光領域７に照射された光は、反射シート４の傾斜面に反射して光学シート５に照射される。さらに、光学シート５に照射された光は、表示部１に向かって照射される。
【００３０】
テレビジョン装置１００は、光源部２から照射された光が、導光板を介さずに中空の導光領域７を介して反射シート４から光学シート５に直接照射されるように構成されている。
【００３１】
図１に示すように、表示部１の周囲にはベゼル８が取り付けられている。画像表示領域１ａは、表示部１のベゼル８に囲まれている部分である。画像表示領域１ａには、光学シート５から照射された光によって画像が表示される。
【００３２】
以下では、ユーザが、表示部１を見る方向をＺ２方向とし、反対方向をＺ１方向とし、Ｚ１方向とＺ２方向とを合わせてＺ方向とする。Ｚ方向と垂直に交わる方向のうち表示部１の長手方向をＸ方向とし、短手方向をＹ方向とする。Ｚ１側を正面とし、Ｚ２側を背面とする、また、図２に示すように、上部Ａは、短手方向（Ｙ方向）からみて、中心Ｃより上側のことを指し、下部Ｂは、Ｚ方向の中心Ｃより下側のことを指す。両端（部）Ｄとは、長手方向（Ｘ方向）あるいは短手方向（Ｙ方向）の両方の端部およびその周辺の範囲を指し、中央（部）Ｅとは端部以外の部分を指し、長手方向あるいは短手方向の距離を半分にする中心点を含む範囲を指す、
【００３３】
図２および図３に示すように、第１実施形態では、光源部２はテレビジョン装置１００の上部に取り付けられる。光源部２は、複数のＬＥＤ（Ｌｉｇｈｔ  Ｅｍｉｔｔｉｎｇ  Ｄｉｏｄｅ）２ａを有する。ＬＥＤ２ａは、表示部１の長手方向（Ｘ方向）に一直線状に並んで配置されている。
【００３４】
図２および図４に示すように、光源部２およびレンズ３は、画像表示領域１ａの背面側（Ｘ２側）のリアフレーム６に取り付けられる。なお、図４では、リアフレーム６の半分しか図示していないが、光源部２およびレンズ３は同様に延びている。また、図４では、わかり易くするため光源部２を露出しているが、レンズ３は光源部２を完全に覆う。また、レンズ３は、光源部２を覆うように長手方向（Ｘ方向）に延びるように取り付けられる。図５に示すように、レンズ３は、光源部２の下方（Ｙ２方向）に湾曲して配置されている屈折面３ａと、屈折面３ａを挟むように光源部２の側方（Ｚ方向に交差するＹ方向）に配置される反射面３ｂとを有している。レンズ３は、光源部２からの光を反射および屈折させることにより略平行な光にする。
【００３５】
図６に示すように、反射シート４は、表示部１側（前方）に光を反射する反射面を有している。反射シート４の下部Ｂの両端Ｄは光学シート５に近づくように傾斜している。なお、図６は半分しか図示していないが、反対側でも同様に反射シート４は光学シート５に近づいている。
【００３６】
光学シート５は、拡散板や偏光フィルタ等からなり、表示部１と反射シート４との間で、表示部１に沿って配置される。これにより、光源部２から照射された光は、光学シート５に照射され、光学シート５により、拡散および偏光方向が揃えられる。なお、光学シート５は、１枚のシートとして構成されている場合に限らず、それぞれ所定の機能を有する複数枚のシートの組み合わせから構成されていてもよい。
【００３７】
図２に示すように、リアフレーム６は、背面側（Ｚ２側）から反射シート４を覆っている。また、リアフレーム６は、Ｚ方向に延びる背面部６ａと上部Ａおよび下部Ｂの表示部１側に曲がっている平坦面部６ｂとを有している。光源部２は上部Ａの平坦面部６ｂに取り付けられる。たとえば、上部Ａの平坦面部６ｂは、表示部１と垂直になるように設けられる。
【００３８】
図２に示すように、第１実施形態におけるリアフレーム６と表示部１との距離は、リアフレーム６の上部Ａよりも下部Ｂの方が小さく構成されている。リアフレーム６の下部の背面側（Ｚ２側）には、構成部品９が取り付けられる、構成部品９は、スピーカ９ａや電子部品９ｂが搭載された基板９ｃなどである。
【００３９】
リアフレーム６の下部Ｂは、長手方向において、両端Ｄにおける光学シート５との距離が中央Ｅにおける光学シート５との距離よりも大きい。図７に示すように、リアフレーム６の下部の両端Ｄが背面方向に突出している。リアフレーム６の中央Ｅに部分に構成部品９を取り付ける場合は、たとえば、ねじで固定してもよい。
【００４０】
リアフレーム６の下部Ｂの構成部品９が取り付けられる部分には、ユーザが高温の構成部品９に触れないように保護カバー１０が取り付けられる。図２では、保護カバー１０と表示部１との距離と、リアフレーム６の背面部６ａと表示部１との距離が同じであるように記載されているが、保護カバー１０と表示部１との距離をリアフレーム６の背面部６ａと表示部１との距離よりも小さくしてもよい。
【００４１】
（第１実施形態の効果）
第１実施形態では、以下のような効果を得ることができる。
【００４２】
第１実施形態では、上記のように、光源部２と、光学シート５と、リアフレーム６と、を備え、光源部２がテレビジョン装置１００の上部に配置され、反射シート４と光学シート５との間に中空の導光領域７が設けられており、反射シート４は、光学シート５との間の距離が、上部Ａよりも下部Ｂのほうが小さい。このようにすることにより、中空の導光領域７を設けることにより導光板を設ける必要がない。そのため、テレビジョン装置１００の下部Ｂの光学シート５と反射シート４との距離を近づけることができるため、その分、下部Ｂにスペースを設けることができる。それにより、構成部品９を下部Ｂのスペースに配置することができる。また、光源部２を上部に設けることにより、下部Ｂに光源部２の前後方向の厚みに相当するスペースを設ける必要がない。そのため、テレビジョン装置１００全体の厚みを小さくすることができるとともに、テレビジョン装置１００の下部Ｂが高温になることを抑制することができる。
【００４３】
また、第１実施形態では、上記のように、リアフレーム６の下部Ｂにおける光学シート５との距離は、リアフレーム６の上部Ａにおける光学シート５との間の距離よりも小さい。このようにすれば、リアフレーム６の下部Ｂの前後方向の長さを小さくすることができるため、リアフレーム６の下部の背面側に構成部品９を取り付けた場合にテレビジョン装置１００の前後方向の厚みが大きくなることを抑制することができる。
【００４４】
また、第１実施形態では、上記のように、リアフレーム６の下部の背面側には、構成部品９が取り付けられている。このように構成すれば、リアフレーム６の下部の背面側に設けられたスペースに構成部品９を取り付けることができるため、テレビジョン装置１００全体の厚みを確実に小さくすることができる。
【００４５】
また、第１実施形態では、上記のように、構成部品９は、スピーカ９ａおよび電子部品９ｂが搭載された基板９ｃを含む。このようにすれば、熱を発する電子部品９ｂが搭載された基板９ｃと光源部２とがそれぞれ下部Ｂと上部Ａとに別々に設けられるため、テレビジョン装置１００の下部が高温になるのを抑制することができる。また、構成部品９から発せられる熱によって、光源部２が影響を受けることを抑制することができる。
【００４６】
また、第１実施形態では、上記のように、リアフレーム６の長手方向において、リアフレーム６の下部は、両端Ｄにおける光学シート５との距離が中央における光学シート５との距離よりも大きくなるように構成されている。このようにすれば、リアフレーム６のうち光学シート５との距離が小さい中央部分に構成部品９を取り付けることにより、テレビジョン装置１００全体の前後方向の厚みを小さくすることができる。また、リアフレーム６のうち長手方向の両端Ｄの部分の光学シート５との距離を大きくすることにより、リアフレーム６の長手方向の両端部が突出した形状になるので、リアフレーム６の強度を十分に保つことができる。
【００４７】
また、第１実施形態では、上記のように、反射シート４と光学シート５との距離は、反射シート４の長手方向の両端Ｄのほうが中央部Ｅよりも小さい。このようにすれば、反射シート４の中央部は背面側に突出し、長手方向の両端にかけて光学シート５に近づくような形状になる。それにより、反射シート４に沿ってリアフレーム６を取り付けた場合に、表示部１からリアフレーム６までの距離が長手方向の両端部で小さくすることができるため、テレビジョン装置１００の長手方向の両端部の前後方向の厚みを小さくすることができる。
【００４８】
また、第１実施形態では、光源部２は、表示部１のベゼル８に囲まれた画像表示領域１ａの背面側に配置されている。このようにすれば、光源部２の高さに合わせてベゼル８の枠部分の幅を大きくする必要がないため、ベゼル８の幅を小さくすることができる。
【００４９】
［第２実施形態］
次に、図１、図８および図９を参照して、第２実施形態について説明する。この第２実施形態のテレビジョン装置２００では、第１実施形態のテレビジョン装置１００の構成に加えて、反射部材１１をさらに備えている。なお、第１実施形態と同様の部分は同じ番号を付し、説明を省略する。
【００５０】
図８に示すように、反射部材１１はＬＥＤ２ａの延びる方向に沿って取り付けられる。図９に示すように、反射部材１１は、光源部２と同じく上部の画像表示領域１ａの背面側（Ｚ２側）に取り付けられる。反射部材１１は、レンズ３から出射された光を反射する面１１ａと光学シート５から照射された光を反射する面１１ｂとを表裏一体で有する。図９では光の反射の一例を矢印で示す。
【００５１】
反射部材１１は、レンズ３からＺ１方向に漏れた光を背面側の反射シート４に反射する。これにより、光源部２に近い光学シート５に多くの光が照射されることを抑制し、光源部２に近い上部Ａの表示部１の輝度が局所的に大きくなることを抑制できる。
【００５２】
反射部材１１は、光学シート５に対して傾斜して取り付けられている。第２実施形態では、反射部材１１は下部Ｂに行くにつれ光学シート５から離れるように傾斜している。光学シート５から離れるように傾斜させることにより、光学シート５で反射された光を光学シート５に反射する。これにより光学シート５の輝度が小さい部分の輝度が補われる。
【００５３】
第２実施形態のその他の構成は、上記第１実施形態と同様である。
【００５４】
（第２実施形態の効果）
第２実施形態では、以下のような効果を得ることができる。
【００５５】
第２実施形態では、上記のように、複数のＬＥＤ２ａは、表示部１の長手方向に延びるように配置されており、複数のＬＥＤ２ａの延びる方向に沿って表示部１の長手方向に延びるように取り付けられ、レンズ３から出射された光を反射する反射部材１１をさらに備える。このようにすれば、光源部２を画像表示領域１ａに設けた場合にも、レンズ３から出射された光が反射部材１１により反射されるので、レンズ３から漏れた光が光学シート５に到達することに起因して、光源部２の近くに位置する表示部１の輝度が大きくなることを抑制することができる。
【００５６】
第２実施形態では、上記のように、反射部材１１は、光学シート５に対して傾斜して配置されており、導光領域７において光学シート５により反射された光を光学シート５に向かって反射するように構成されている。このように構成すれば、反射部材１１によって光が遮断されることにより光が届かない光学シート５に光源部２からの光を照射することができる。そのため、輝度が小さい箇所が発生することを抑制することができる
【００５７】
第２実施形態のその他の効果は、上記第１実施形態と同様である。
【００５８】
［第３実施形態］
次に、図１および図１０を参照して、第３実施形態について説明する。この第３実施形態のテレビジョン装置３００では、リアフレーム６が中央部から端部に向かって光学シート５に近づくように傾斜している。なお、第１実施形態と同様の部分は同じ番号を付し、説明を省略する。
【００５９】
図１０に示すように、リアフレーム６は、中央部から端部にかけて円弧形状である。傾斜角θは、リアフレーム６の接線と表示部１の長手方向の延長線との間の角度である。
【００６０】
傾斜角θは、３５度以下が好ましく、２０度以下がより好ましい。なお、傾斜角θは、正面から斜めに見て背面部の保護カバー１０等が見えないように設定する。反射シート４の長手方向の中央の光学シート５との距離と、両端の光学シート５との差が大きくなるように反射シート４を光学シート５に近づけ、反射シート４に沿ってリアフレーム６を設けることによりリアフレーム６の傾斜角θを小さくすることができる。
【００６１】
第３実施形態のその他の構成は、上記第１実施形態と同様である。
【００６２】
（第３実施形態の効果）
第３実施形態では、以下のような効果を得ることができる。
【００６３】
第３実施形態では、上記の通り、リアフレーム６は中央部から端部に向かって光学シート５に近づくように傾斜しており、リアフレーム６の光学シート５に対する傾斜角θは鋭角である。このように構成すれば、テレビジョン装置３００を正面側から斜めに見た場合に、リアフレーム６の背面側に取り付けられた構成部品９が見えることを抑制することができる。
【００６４】
第３実施形態では、上記の通り、リアフレーム６の光学シート５に対する傾斜角θは３５度以下である。このようにすれば、テレビジョン装置３００を正面側から斜めに見た場合に、リアフレーム６の背面側に取り付けられた構成部品９が見えることを確実に抑制することができる。
【００６５】
第３実施形態のその他の効果は、上記第１実施形態と同様である。
【００６６】
［第４実施形態］
次に、図１、図１１および図１２を参照して、第４実施形態について説明する。この第４実施形態では、第１実施形態のテレビジョン装置１００の構成に加えて、第１通気口１３をさらに備えている。なお、第１実施形態と同様の部分は同じ番号を付し、説明を省略する。
【００６７】
図１１に示すように、第４実施形態のテレビジョン装置４００は、光源部２を上面側および背面側から覆うカバー１２に第１通気口１３を設ける。図１２に示すようにカバー１２は、リアフレーム６の上面側および背面側の一部を覆う。
【００６８】
第１通気口１３には、ほこりなどが入らないように、複数の幅の小さい孔が設けられている。
【００６９】
図１１および図１２に示すように、カバー１２の背面には、開口部１４が設けられる。開口部１４から流入する外気は、光源部２で熱せられた空気よりも冷たい。そうすると、カバー１２の内部には、光源部２で熱せられた外気より高温の空気と外気とが存在することになる。高温の空気は低温の空気より密度が低く浮力が生じるため、煙突効果によってカバー１２の開口部１４から外部の冷たい空気を引き入れながら暖かい空気が上昇し熱が第１通気口１３から排出される。
【００７０】
図１２に示すように、リアフレーム６の上面側には第２通気口１５が設けられている。第２通気口１５は、光源部２の上方に位置するように設けられる、一例として、第２通気口１５は、第１通気口１３と第２通気口１５とが上面視において重なる位置に設けられている。第１通気口１３および第２通気口１５の大きさは、同じであってもよく、異なっていてもよい。第１通気口１３と第２通気口１５とが上面視において重なる位置とは、第１通気口１３と第２通気口１５とが完全に重なるように配置される位置と、一部分が重なるように配置される位置を含む。
【００７１】
第２通気口１５を設ける他の例は、第１通気口１３と第２通気口１５とが上面視において重ならない位置に設けることである。第１通気口１３および第２通気口１５の大きさは、同じであってよく異なっていてもよい。この場合、第２通気口１５は、第１通気口１３よりも正面側に配置することで、カバー１２の背面部に設けられた開口部１４からの空気の流れに沿って効率よく光源部２の熱を逃がすことができる。
【００７２】
第４実施形態のその他の構成は、上記第１実施形態と同様である。
【００７３】
（第４実施形態の効果）
第４実施形態では、以下のような効果を得ることができる。
【００７４】
第４実施形態では、上記の通り、テレビジョン装置４００は、光源部２を上面側および背面側から覆うカバー１２を有し、カバー１２の上面側には第１通気口１３が設けられている。このようにすれば、高温状態の光源部２にユーザが直接触れることをカバーにより抑制することができるとともに、第１通気口１３によって、リアフレーム６を介して発せられる光源部２の熱を逃がすことができる
【００７５】
第４実施形態では、上記の通り、カバー１２の背面側には開口部１４が設けられている。このようにすれば、光源部２によって熱せられた空気は、外気よりも高温であるとともに外気よりも密度が低くなる。そのため、光源部２によって熱せられた空気に浮力が生じ、煙突効果によって開口部１４から温度の低い外気を取り込みながら上昇し、第１通気口１３から排出される。それにより、光源部２で発生した熱を逃すことができる。
【００７６】
第４実施形態では、上記の通り、リアフレーム６の上面側には第２通気口１５が設けられており、第１通気口１３と第２通気口１５とが平面視において重なる位置に設けられている。このようにすれば、光源部２で発生した熱を第２通気口１５および第１通気口１３を介して上方へ逃がすことができるため排熱効率を向上させることができる。
【００７７】
第４実施形態では、上記の通り、第１通気口１３と第２通気口１５とが平面視において重ならない位置に設けられている。このようにすれば、光源部２からの熱によって熱せられた空気が第２通気口１５から排出され、カバー背面側の開口部１４から流入した空気の流れによって、第２通気口１５から第１通気口１３に移動した後に、第１通気口１３から外部に排出される。その結果、効率よく光源部２を冷却することができる。
【００７８】
第４実施形態のその他の効果は、上記第１実施形態と同様である。
【００７９】
［第５実施形態］
次に、図１、図１３および図１４を参照して、第５実施形態のテレビジョン装置５００について説明する。この第５実施形態では、第１実施形態のテレビジョン装置１００の構成に加えて、光源ベース１６をさらに備えている。なお、第１実施形態と同様の部分は同じ番号を付し、説明を省略する。
【００８０】
図１３および図１４に示すように、第５実施形態では、光源部２が光源ベース１６を介して、リアフレーム６に取り付けられる。取り付け方は、たとえば、ねじ止めでもよい。図１３では半分しか示していないが、残りの部分も同様な構成である、
【００８１】
光源ベース１６は、リアフレーム６の放熱性より大きい放熱性を有する。放熱性とは、熱伝導率、熱輻射率、熱容量などを指す。リアフレーム６を例えば鋼板で製造しているのに対し、光源ベース１６をアルミニウム材で製造することにより、放熱性を向上させることができる。光源ベース１６は、たとえば、Ｌ字状でもよく平板であってもよい。
【００８２】
第５実施形態のその他の構成は、上記第１実施形態と同様である。
【００８３】
（第５実施形態の効果）
第５実施形態では、以下のような効果を得ることができる。
【００８４】
第５実施形態では、上記の通り、光源部２は、光源ベース１６を介してリアフレーム６に取り付けられ、光源ベース１６は、リアフレーム６の放熱性より大きい放熱性を有する。このようにすれば、光源部２からの熱が光源ベース１６によって効率よく放熱されることにより、光源部２からの熱量が大きくなった場合でも効率よく排熱することができる。
【００８５】
第５実施形態のその他の効果は、上記第１実施形態と同様である。
【００８６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８７】
たとえば、上記第１〜第５実施形態では、テレビジョン装置に本発明を適用した例を示したが、テレビジョン装置以外の表示装置に本発明を適用してもよい。
【００８８】
また、上記第１〜第５実施形態では、光源部の光を屈折および反射させるレンズの例について示したが、本発明はこれに限られない。本発明では、レンズが反射または屈折の一方だけを行ってもよい。
【００８９】
また、上記第１〜第５実施形態では、光源部がテレビジョン装置（表示装置）の上部にある例を示したが、本発明はこれに限られない。本発明では、光源部がテレビジョン装置（表示装置）の上部ではなく長手方向の端部に設けられていてもよい。
【００９０】
また、上記第１〜第５実施形態では、リアフレームの背面側の下部に構成部品が取り付けられている例を示したが、本発明はこれに限られない。本発明では、表示装置の下部に設けられたスペースに構成部品を配置することができれば、リアフレームに取り付けられている必要はない。
【００９１】
また、上記第１〜第５実施形態では、光源部が表示領域の背面側に取り付けられる例を示したが、本発明はこれに限られない。本発明では、光源部をベゼルの背面側に設けてもよい。
【００９２】
また、上記第２実施形態では、反射部材が下部に行くにつれ光学シートから離れるように傾斜している例を示したが、本発明はこれに限られない。本発明では、反射部材は、光学シートに近づくように傾斜させてもよい。
【００９３】
また、上記第３実施形態では、リアフレームが中央部から端部にかけて円弧形状である例を示したが、本発明はこれに限られない。本発明では、リアフレームが中央部から端部にかけて傾斜角θの斜面でもよい。
【００９４】
また、上記第４実施形態では、カバーは、リアフレームの上面側および背面側の一部を覆う例を示したが、本発明はこれに限られない。本発明では、カバーが、リアフレームの全面を覆ってもよい。
【符号の説明】
【００９５】
１  表示部
２  光源部
２ａ  ＬＥＤ
３  レンズ
４  反射シート
５  光学シート
６  リアフレーム
７  導光領域
８  ベゼル
９  構成部品
１０  保護カバー
１１  反射部材
１２  カバー
１３  第１通気口
１４  開口部
１５  第２通気口
１６  光源ベース
１００、２００、３００、４００、５００  テレビジョン装置
【図１】
2020030327.tif 000003
【図２】
2020030327.tif 000004
【図３】
2020030327.tif 000005
【図４】
2020030327.tif 000006
【図５】
2020030327.tif 000007
【図６】
2020030327.tif 000008
【図７】
2020030327.tif 000009
【図８】
2020030327.tif 000010
【図９】
2020030327.tif 000011
【図１０】
2020030327.tif 000012
【図１１】
2020030327.tif 000013
【図１２】
2020030327.tif 000014
【図１３】
2020030327.tif 000015
【図１４】
2020030327.tif 000016